(57)【特許請求の範囲】
【請求項１】
一対の建物１，１間に配設される弯曲パネル３を保持する間隙幅方向に伸縮自在なパンタグラフ状の一対の連結部材４，５を、複数対備えたカマボコ型屋根用伸縮継手構造であって、上記連結部材４，５の両端を、夫々揺動可能として建物１に支持する枢支部材６，７に、パネル径方向の軸10廻りの揺動を可能として枢結し、かつ、一対の連結部材４，５のうち少なくとも一方の連結部材４の各枢支部材６，６を、上記間隙幅方向に沿った水平軸11廻りに回転可能として枢着したことを特徴とするカマボコ型屋根用伸縮継手構造。
【請求項２】
一対の建物１，１間に配設される弯曲パネル３を保持する間隙幅方向に伸縮自在なパンタグラフ状の一対の連結部材４，５を、複数対備えたカマボコ型屋根用伸縮継手構造であって、上記連結部材４，５の両端を、夫々揺動可能として建物１に支持する枢支部材６，７に、パネル径方向の軸10廻りの揺動を可能として枢結すると共に、一対の連結部材４，５のうち少なくとも一方の連結部材４の各枢支部材６，６を、上記間隙幅方向に沿った水平軸11廻りに回転可能として枢着し、かつ、一方の建物１側の端部が上記各連結部材４，５に枢結される外枠体17，17に、他方の建物１側の端部が上記各連結部材４，５に枢結される内枠体18，18を挿入すると共に、該外枠体17，17に対する該内枠体18，18の間隙幅方向のスライドを可能として、該連結部材４，５の中央部に設けられる連結軸21，21にて、該内外枠体18，17を連結部材４，５に連結したことを特徴とするカマボコ型屋根用伸縮継手構造。
【請求項３】
一対の建物１，１間に配設される弯曲パネル３を保持する間隙幅方向に伸縮自在なパンタグラフ状の一対の連結部材４，５を、複数対備えたカマボコ型屋根用伸縮継手構造であって、上記連結部材４，５の両端を、夫々揺動可能として建物１に支持する枢支部材６，６に、パネル径方向の軸10廻りの揺動を可能として枢結すると共に、一対の連結部材４，５のうち少なくとも一方の連結部材４の各枢支部材６，７を、上記間隙幅方向に沿った水平軸11廻りに回転可能として枢着し、かつ、一方の建物１側の端部が上記各連結部材４，５に枢結される外枠体17，17に、他方の建物１側の端部が各連結部材４，５に枢結される内枠体18，18を挿入すると共に、該外枠体17，17に対する該内枠体18，18の間隙幅方向のスライドを可能として、該連結部材４，５の中央部に設けられる連結軸21，21にて、該内外枠体18，17を連結部材４，５に連結し、上記連結軸21，21を介してパネル取付下地16を上記一対の外枠体17，17に連結し、さらに、上記弯曲パネル３の下地16側の端縁部を該パネル取付下地16に揺動可能として取り付けると共に、該弯曲パネル３の建物１側の端縁部を該建物１に対してスライド可能としたことを特徴とするカマボコ型屋根用伸縮継手構造。
【請求項４】
一対の建物１，１間に配設される弯曲パネル３を保持する間隙幅方向に伸縮自在なパンタグラフ状の一対の連結部材４，５を、複数対備えたカマボコ型屋根用伸縮継手構造であって、上記連結部材４，５の両端を、夫々揺動可能として建物１に支持する枢支部材６，７に、パネル径方向の軸10廻りの揺動を可能として枢結すると共に、一対の連結部材４，５のうち少なくとも一方の連結部材４，５の各枢支部材６，６を、上記間隙幅方向に沿った水平軸11廻りに回転可能として枢着し、かつ、一方の建物１側の端部が上記各連結部材４，５に枢結される外枠体17，17に、他方の建物１側の端部が各連結部材４，５に枢結される内枠体18，18を挿入すると共に、該外枠体17，17に対する該内枠体18，18の間隙幅方向のスライドを可能として、該連結部材４，５の中央部に設けられる連結軸21，21にて、該内外枠体18，17を連結部材４，５に連結し、さらに、上記一方の建物１側に配設される弯曲パネル３と外枠体17とを相互に接近させる方向に弾発付勢する第１弾発部材26にて連結すると共に、上記他方の建物１側に配設される弯曲パネル３と内枠体18とを相互に接近させる方向に弾発付勢する第２弾発部材27にて連結したことを特徴とするカマボコ型屋根用伸縮継手構造。
【発明の詳細な説明】
【０００１】
【発明の属する技術分野】
この発明はカマボコ型屋根用伸縮継手構造に関する。
【０００２】
【従来の技術】
一対の建物間に配設される複数個の弯曲パネルを備えたカマボコ型屋根において、一般に、該建物が相互に接近・離間する方向及び上下動する方向の変位に追従する、簡単な構造の伸縮継手が使用されていた。
【０００３】
【発明が解決しようとする課題】
従って、平面的に見て建物が該建物間の間隙幅方向と直交する方向に変位した場合、相対応する弯曲パネル間は極めて複雑な変動となって従来の伸縮継手ではその変動に追従することができなかった。
そこで、本発明は、３次元的な複雑な建物の変動に追従することができるカマボコ型屋根用伸縮継手構造を提供することを目的とする。
【０００４】
【課題を解決するための手段】
上述の目的を達成するために、本発明に係る第１のカマボコ型屋根用伸縮継手構造は、一対の建物間に配設される弯曲パネルを保持する間隙幅方向に伸縮自在なパンタグラフ状の一対の連結部材を、複数対備えたカマボコ型屋根用伸縮継手構造であって、上記連結部材の両端を、夫々揺動可能として建物に支持する枢支部材に、パネル径方向の軸廻りの揺動を可能として枢結し、かつ、一対の連結部材のうち少なくとも一方の連結部材の各枢支部材を、上記間隙幅方向に沿った水平軸廻りに回転可能として枢着したものである。
【０００５】
また、本発明に係る第２のカマボコ型屋根用伸縮継手構造は、一対の建物間に配設される弯曲パネルを保持する間隙幅方向に伸縮自在なパンタグラフ状の一対の連結部材を、複数対備えたカマボコ型屋根用伸縮継手構造であって、上記連結部材の両端を、夫々揺動可能として建物に支持する枢支部材に、パネル径方向の軸廻りの揺動を可能として枢結すると共に、一対の連結部材のうち少なくとも一方の連結部材の各枢支部材を、上記間隙幅方向に沿った水平軸廻りに回転可能として枢着し、かつ、一方の建物側の端部が上記各連結部材に枢結される外枠体に、他方の建物側の端部が上記各連結部材に枢結される内枠体を挿入すると共に、該外枠体に対する該内枠体の間隙幅方向のスライドを可能として、該連結部材の中央部に設けられる連結軸にて、該内外枠体を連結部材に連結したものである。
【０００６】
また、本発明に係る第３のカマボコ型屋根用伸縮継手構造は、一対の建物間に配設される弯曲パネルを保持する間隙幅方向に伸縮自在なパンタグラフ状の一対の連結部材を、複数対備えたカマボコ型屋根用伸縮継手構造であって、上記連結部材の両端を、夫々揺動可能として建物に支持する枢支部材に、パネル径方向の軸廻りの揺動を可能として枢結すると共に、一対の連結部材のうち少なくとも一方の連結部材の各枢支部材を、上記間隙幅方向に沿った水平軸廻りに回転可能として枢着し、かつ、一方の建物側の端部が上記各連結部材に枢結される外枠体に、他方の建物側の端部が各連結部材に枢結される内枠体を挿入すると共に、該外枠体に対する該内枠体の間隙幅方向のスライドを可能として、該連結部材の中央部に設けられる連結軸にて、該内外枠体を連結部材に連結し、上記連結軸を介してパネル取付下地を上記一対の外枠体に連結し、さらに、上記弯曲パネルの下地側の端縁部を該パネル取付下地に揺動可能として取り付けると共に、該弯曲パネルの建物側の端縁部を該建物に対してスライド可能としたものである。
【０００７】
また、本発明に係る第４のカマボコ型屋根用伸縮継手構造は、一対の建物間に配設される弯曲パネルを保持する間隙幅方向に伸縮自在なパンタグラフ状の一対の連結部材を、複数対備えたカマボコ型屋根用伸縮継手構造であって、上記連結部材の両端を、夫々揺動可能として建物に支持する枢支部材に、パネル径方向の軸廻りの揺動を可能として枢結すると共に、一対の連結部材のうち少なくとも一方の連結部材の各枢支部材を、上記間隙幅方向に沿った水平軸廻りに回転可能として枢着し、かつ、一方の建物側の端部が上記各連結部材に枢結される外枠体に、他方の建物側の端部が各連結部材に枢結される内枠体を挿入すると共に、該外枠体に対する該内枠体の間隙幅方向のスライドを可能として、該連結部材の中央部に設けられる連結軸にて、該内外枠体を連結部材に連結し、さらに、上記一方の建物側に配設される弯曲パネルと外枠体とを相互に接近させる方向に弾発付勢する第１弾発部材にて連結すると共に、上記他方の建物側に配設される弯曲パネルと内枠体とを相互に接近させる方向に弾発付勢する第２弾発部材にて連結したものである。
【０００８】
【発明の実施の形態】
以下、本発明の実施の形態を図面に基づき詳説する。
【０００９】
図１と図２は本発明に係るカマボコ型屋根用伸縮継手構造を示し、このカマボコ型屋根用伸縮継手構造は、一対の建物１，１（図５と図６参照）間に配設される一対の弯曲パネル３，３を保持する間隙幅方向（建物１，１間の間隔部の幅方向）に伸縮自在なパンタグラフ状の一対の連結部材４，５を備える。また、連結部材４，５は、建物１，１間の間隔部の長手方向に沿って複数対配設される。
【００１０】
連結部材４，５は、図４に示すように、その両端が、夫々蝶番からなる枢支部材６，６，７，７に支持されている。即ち、枢支部材６，７は、夫々、建物１に固着されたブラケット８（図２参照）に、その一辺部６ａ，７ａが取付けられ、その他辺部６ｂ，７ｂに連結部材４，５の夫々の端部がパネル径方向の軸10を介して枢支されている。従って、連結部材４，５は、その端部が夫々、矢印Ａ（図２参照）の如く、揺動可能に建物１に枢着される。即ち、連結部材４，５は、図３に示すように、断面におけるパネル法線を含む平面Ｈと直交し、かつ、パネル中心点Ｏを通る平面Ｈ1 内での揺動が可能とされる。また、連結部材４，５の端部は、上述の如くパネル径方向の軸10を介して枢支されているので、矢印Ｂ（図４参照）の如く、揺動が可能となっている。
【００１１】
しかして、連結部材４，５の内どちらか一方、この場合、連結部材４の枢支部材６の一辺部６ａが、水平軸11（図２参照）を介してブラケット８に取付けられ、これによって、この連結部材４は、間隙幅方向に沿った水平軸11廻りに回転（回動）可能となっている。また、他の連結部材５の枢支部材７の一辺部７ａは、ブラケット８にボルト・ナット結合にて固定される。
【００１２】
また、連結部材４，５には、伸縮部材15，15が設けられ、この伸縮部材15，15上に断面Ｕの字状のパネル取付下地16が取付けられる。
伸縮部材15は、外枠体17と、該外枠体17に挿入される内枠体18とを備え、該外枠体17に対して内枠体18が長手方向（つまり、間隙幅方向）にスライドが可能となっている。この場合、外枠体17，17の上壁に夫々長手方向長孔20，20が設けられ、連結部材４，５の中央の連結軸21，21が、内枠体18及びこの長手方向長孔20に挿通されて、このパネル取付下地16が伸縮部材15，15に取付けられる。
【００１３】
ところで、弯曲パネル３は、図５の仮想線で示すように、一対の連結部材４，５に２枚づつが対応する。即ち、弯曲パネル３の建物１側の端縁部に、図２に示すように、断面倒立Ｕの字状のパッキン23が付設され、該パッキン23が建物１上面に摺接する。また、弯曲パネル３のパネル取付下地16側の端縁部は、蝶番24を介して、該パネル取付下地16に連結される。即ち、蝶番24の一辺部24ａがパネル３側に固着され、該蝶番24の一辺部24ｂがパネル取付下地16の側壁16ａに固着される。従って、弯曲パネル３は、そのパネル取付下地16側の端縁部が蝶番24の軸心25を中心に揺動し、その建物１側の端縁部が建物１上面の移動が可能となっている。これによって、建物１，１の種々の変動に対して弯曲パネル３が追従することができる。
【００１４】
また、間隔部の長手方向に沿って配設される弯曲パネル３…は、図１に示すように、各パネル３，３間が連結体41にて連結される。連結体41は、アルミニウム等の金属からなる断面倒立Ｖの字状のカバー42と、該カバー42の内面側に配設されるゴム等の弾性材からなる断面倒立Ｖの字状の内装材43と、からなり、カバー42と内装材43の端部42ａ，43ａが弯曲パネル３に取付けられる。
即ち、連結部材41は、カバー42及び内装材43が断面倒立Ｖの字状であるので、この相隣位する弯曲パネル３，３の接近・離間に対して、縮拡して対応することができる。
【００１５】
しかして、一方の建物１側の弯曲パネル３と外枠体17とはコイルスプリングからなる第１弾発部材26にて連結され、他方の建物１側の弯曲パネル３と内枠体18とはコイルスプリングからなる第２弾発部材27にて連結される。即ち、図４に示すように、外枠体17の端部に一対の係止用鍔部28，28が設けられ、弯曲パネル３の下面に係止片29，29（図２参照）が設けられ、第１弾発部材26は、その一端部が係止用鍔部28に係止され、その他端部が係止片29に係止される。また、内枠体18の端部に一対の係止用鍔部30，30が設けられ、弯曲パネル３の下面に係止片31，31（図２参照）が設けられ、第２弾発部材27は、その一端部が係止用鍔部30に係止され、その他端部が係止片31に係止される。従って、第１・第２弾発部材26…，27…にて弯曲パネル３，３と、連結部材４，５とが、相互に接近する方向に弾発付勢されている。
【００１６】
ところで、各建物１，１には、図２と図３に示す弯曲梁33，33が取付けられている。この弯曲梁33は、図２に示すように、パイプ材からなり、その両端に夫々保持枠体35，37が連設され、この保持枠体35，37が建物１の支持部36，38に支持されている。なお、一対の弯曲梁33，33間には、図２に示すように、止水板40が配設されている。
【００１７】
従って、上述の如く構成されたカマボコ型屋根用伸縮継手構造によれば、図５の（イ）に示すような自由状態から、図５の（ロ）に示すように建物１，１が相互に接近した場合、各連結部材４…，５…は、夫々、短縮され、伸縮部材15はその内枠体18がその外枠体17に進入し、また、弯曲パネル３は建物１側にスライドして、この変動（変位）に追従することができる。逆に、図５の（ハ）に示すように建物１，１が相互に離間した場合、各連結部材４…，５…は、夫々、伸び、伸縮部材15はその内枠体18がその外枠体17に対して伸び、また、弯曲パネル３は建物１から離間する方向にスライドして、この変動に追従することができる。また、平面的に見て、図６に示すように建物１，１が間隙幅方向と直交する方向に相反する方向に変動した場合、各パネル３…は弯曲しているので、平面状パネルと相違して、対応するパネル３，３の変動は極めて複雑な動きとなる。即ち、一対のパネル３，３の相対面していた部位イ，イ′が図７に示すように、上下方向及び建物変位方向に変位することになり、３次元的に変動する。特に、弯曲梁33の両端部側においてその変動がより大となる。
【００１８】
しかしながら、連結部材４…，５…は、夫々の端部が枢支部材６…，７…にパネル径方向の軸10廻りの揺動が可能として枢着され、かつ、各枢支部材６…，７…により、連結部材４…，５…の端部は、揺動可能とされ、しかも、一方の連結部材４の枢支部材６，７が、建物１，１間の間隔部の幅方向（つまり、間隙幅方向）に沿った水平軸11廻りに揺動が可能であるので、３次元的の変動に十分追従することができる。
【００１９】
なお、図例では、連結部材５の枢支部材７を建物１側に固定しているが、この枢支部材７も、連結部材４の枢支部材６と同様、間隙幅方向に沿った水平軸11廻りに回転可能としてもよく、また、連結部材４の枢支部材６を建物１側に固定して、連結部材５の枢支部材７を水平軸11廻りに回転可能としてもよい。
【００２０】
【発明の効果】
本発明は上述の構成により次に示すような著大な効果を奏する。
▲１▼  （請求項１によれば、）連結部材４，５は、間隙幅方向に伸縮自在であるので、建物１，１の接近・離間方向（間隙幅方向）の変位に追従でき、また、連結部材４，５の両端は、夫々揺動可能として建物１に支持する枢支部材６，７にパネル径方向の軸10廻りの揺動を可能として枢結されるので、上下方向、及び、平面的に見て間隙幅方向と直交する方向の変位に追従でき、さらに、一つの連結部材４の枢支部材６，７が水平軸11廻りに回転可能であるので、連結部材４，５間におけるねじれ状の変位にも追従できる。従って、間隙幅方向、上下方向、上述の間隙幅方向と直交する方向、及び、これらが組み合わさった３次元的な複雑な変動に確実に追従することができ、長期にわたって安定して建物１，１間の間隔部を施蓋状とすることができる。
▲２▼  （請求項２によれば、）請求項１と同様、３次元的な複雑な変動に確実に追従することができ、しかも、パンタグラフからなる連結部材４，５がその中央部において下方へ垂れるのを、内外枠体18，17にて有効に防止している。
▲３▼  （請求項３によれば、）請求項１と同様、３次元的な複雑な変動に確実に追従することができ、しかも、連結部材４，５の垂れを有効に防止することができると共に、変動による弯曲パネル３の追従を確実に行いえる。
▲４▼  （請求項４によれば、）請求項１と同様、３次元的な複雑な変動に確実に追従でき、しかも、弯曲パネル３が連結部材４，５に弾発的に連結されているので、建物１，１の種々の変動による弯曲パネル３の損傷を有効に防止することができる。
【図面の簡単な説明】
【図１】本発明に係るカマボコ型屋根用伸縮継手構造の要部断面図である。
【図２】他の要部拡大図である。
【図３】弯曲梁の全体図である。
【図４】連結部材の平面図である。
【図５】連結部材の簡略平面図である。
【図６】連結部材の簡略平面図である。
【図７】変動状態を示す簡略図である。
【符号の説明】
１  建物
３  弯曲パネル
４  連結部材
５  連結部材
６  枢支部材
７  枢支部材
11  軸
16  パネル取付下地
17  外枠体
18  内枠体
21  連結軸
26  第１弾発部材
27  第２弾発部材
【図１】
0003751702.tif 000002
【図２】
0003751702.tif 000003
【図３】
0003751702.tif 000004
【図４】
0003751702.tif 000005
【図５】
0003751702.tif 000006
【図６】
0003751702.tif 000007
【図７】
0003751702.tif 000008